(57)【要約】【課題】ベゼルまわりの弾性変形を最小限に抑制できかつベゼルの仕上げ分けが容易な時計装置を提供すること。【解決手段】時計装置（１）は、表示部（文字板３）を有するケース本体（２）と、表示部の周囲に配置された環状のベゼル本体（１１）と、ベゼル本体をケース本体との間に保持する保持構造（保持リング１２，フランジ１２Ａ，雌ねじ部１２Ｂ，筒状部２Ａ，雄ねじ部２Ｂ）と、ベゼル本体に支持されて保持構造を隠蔽する環状のカバー部材（１３）とを備える。ベゼル本体１１とカバー部材１３との二部材により回転ベゼル１０が構成される。ベゼル本体１１は保持構造によりケース本体２との間に回転自在に保持され、従来の嵌め合い構造のような弾性変形の影響を回避できる。【選択図】図３
2009186279.tif 000002
【特許請求の範囲】
【請求項１】
表示部を有するケース本体と、前記表示部の周囲に配置された環状のベゼル本体と、前記ベゼル本体を前記ケース本体との間に保持する保持構造と、前記ベゼル本体に支持されて前記保持構造を隠蔽する環状のカバー部材とを備えたことを特徴とする時計装置。
【請求項２】
請求項１に記載した時計装置において、
前記保持構造は、前記ベゼル本体と同心に形成された保持リングと、前記保持リングを前記ケース本体に固定する固定構造と、前記保持リングの外周に形成されかつ前記ベゼル本体を挟んで前記ケース本体と対向するフランジとを有することを特徴とする時計装置。
【請求項３】
請求項２に記載した時計装置において、
前記固定構造は、前記ケース本体の前記表示部の周囲に形成された筒状部と、前記筒状部の外周に形成された雄ねじ部と、前記保持リングの内側に形成されて前記雄ねじ部に螺合する雌ねじ部とを有することを特徴とする時計装置。
【請求項４】
請求項１から請求項３の何れかに記載された時計装置において、
前記カバー部材は、外周が前記ベゼル本体に接しかつ内周が前記表示部に臨む表示面と、前記ベゼル本体に対して着脱可能に係合する係合構造とを有することを特徴とする時計装置。
【発明の詳細な説明】
【技術分野】
【０００１】
本発明は回転ベゼルを有する時計装置に関する。
【背景技術】
【０００２】
従来、腕時計などの時計装置においては、ケース本体に文字板などの表示部が設置されるとともに、しばしば表示部の周囲に環状のベゼルが設置される。腕時計のなかでも、ダイバーズウォッチやスポーツウォッチなどには、外装デザインも兼ねた回転ベゼルが採用される。
回転ベゼルは、表示部の周囲のベゼルを回転可能に装着したものであり、ベゼルの表面には表示部内の指針に対応した目盛りなどが表示される。このような回転ベゼルでは、適宜回転させて目盛りと指針との関係を設定することで、ある時点からの経過時間等を容易に読み取る等の機能を得ることができる。
【０００３】
従来の回転ベゼルの取り付け構造は、回転ベゼルとその装着部分を一時的に変形させることによって嵌め込むように構成されていた。このため、回転ベゼルとその装着部分つまりカバーガラス固定リングや時計ケース本体の素材を慎重に選定しないと、係合不能あるいは係合部分の損傷や変形、無理な係合による切粉の発生によるベゼルの回転不良等を招来するという問題点があった。
また、回転ベゼルに金属素材、特に純チタンやチタン合金を用いる場合、素材に粘りがあるため、装着時に塑性変形して本来の機能が得られなくなる可能性がある。つまり、回転ベゼルが装着に伴って変形してケース本体に保持できなくなったり、回転ベゼルと装着部分とのクリアランスが確保できなくなり、回転不良が発生したり、更には、修理や清掃のために回転ベゼルを外そうとした場合に装着部分に回転ベゼルが食い付いて離れなくなる等の問題点があった
【０００４】
これに対し、本願の出願人は、ケース本体に回転ベゼルを取り付けた構造において、ベゼルに脆性材料、変形困難な材料、変形しやすい材料などを用いた場合でも、支障なく取り付け、取り外しが可能な構造を提案している（特許文献１）。
この構造では、ベゼルの保持部をその半径方向に弾性変形可能とし、かつ弾性変形を許容するクリアランスを形成する。この構造により、ベゼルをケース本体に嵌合させる際に、保持部を変形させてベゼルとケース本体とを係合させることができ、係合された後は弾性により保持部が元形状に復帰しようとする。このため、ベゼルの取付け、取り外しが容易にでき、しかも、ベゼルやケース本体などに損傷や変形を与えにくくできる。従って、ベゼルやケース本体などの材料選択の制限が少なくなり、設計及びデザインの自由度を高めることができる。
【０００５】
【特許文献１】特開２０００−９８０６０号公報
【発明の開示】
【発明が解決しようとする課題】
【０００６】
前述した特許文献１の構造では、回転ベゼルの保持部を弾性変形可能とし、かつ弾性変形を許容するクリアランスを形成し、ベゼルをケース本体に嵌合させる際に保持部を変形させることで、従来の問題の解決を含む優れた効果を有する。しかし、同構造では次のような問題までは解決するに至っていない。
【０００７】
すなわち、前述した特許文献１の構造では、嵌め込みあるいは取り外しの際、ベゼルおよびケース本体には弾性変形に伴う相当な応力がかかり、変形が残る可能性がある。また、弾性変形させるために相当な力をかける必要であり、着脱時の作業性に問題がある。
更に、前述した特許文献１を含む従来の構造では、ベゼルの材料選択の幅が拡がるものの、選択した材料はベゼル全体に及び、例えば外観上の質感を考慮して表面の素材を変更する仕上げ分けを行うことが難しい。特に、前述した特許文献１の構造では、弾性変形にも関連して仕上げ分けに制約を受けることになる。例えば、ベゼルの本体に弾性変形可能な金属を用い、その表面側に脆性の高い材料を用いた仕上げ材を適用しようとすると、ベゼルの変形に伴って仕上げ材が割れる等する虞がある。このように、従来の構造では仕上げ分けの適用が難しいという問題があった。
【０００８】
本発明は、ベゼルまわりの弾性変形を最小限に抑制できかつベゼルの仕上げ分けが容易な時計装置を提供することにある。
【課題を解決するための手段】
【０００９】
本発明の時計装置は、表示部を有するケース本体と、前記表示部の周囲に配置された環状のベゼル本体と、前記ベゼル本体を前記ケース本体との間に保持する保持構造と、前記ベゼル本体に支持されて前記保持構造を隠蔽する環状のカバー部材とを備えたことを特徴とする。
【００１０】
このような本発明では、ベゼル本体とカバー部材との二部材によりベゼルが構成される。ベゼル本体は保持構造によりケース本体に保持され、カバー部材はベゼル本体に支持されて一体化される。これにより、二部材からなるベゼルがケース本体に対して回転自在に取り付けられる。
保持構造によるベゼル本体の保持は、ベゼル本体をケース本体との間に保持する構成であり、従来のような弾性変形を伴う嵌め合い構造とは異なる。このため、ベゼルないしケース本体における弾性変形の影響を回避することができる。
【００１１】
カバー部材を装着することで保持構造が覆われ、外部に露出することがなく、外観上はカバー部材とベゼル本体の組み合わせ、あるいはカバー部材単独とすることができる。
ベゼルはベゼル本体とカバー部材との二部材により構成されるため、各々の材質を異なるものとすることができ、仕上げ分けを自由に行うことができる。
以上より、ベゼルまわりの弾性変形を最小限に抑制でき、かつベゼルの仕上げ分けを容易とすることができる。
【００１２】
本発明の時計装置において、前記保持構造は、前記ベゼル本体と同心に形成された保持リングと、前記保持リングを前記ケース本体に固定する固定構造と、前記保持リングの外周に形成されかつ前記ベゼル本体を挟んで前記ケース本体と対向するフランジとを有する構造とすることが望ましい。
このような本発明では、保持リングの外周のフランジによりケース本体との間にベゼル本体を挟んで保持することができる。この際、固定構造で保持リングをケース本体に固定する際に、ベゼル本体の回転軸方向に沿った保持リングの位置を調整することで、ベゼル本体をフランジとケース本体との間に挟む状態を調整することができ、ベゼルの回転トルク等の調整が可能である。
なお、フランジは全周にわたって連続しているものに限らず、一部に切欠きを有するもの、部分的に突起状に形成されたもの等であってもよい。
固定構造としては、後述する雄ねじ部と雌ねじ部が利用できるが、保持リングをケース本体に固定できる構成であればよく、例えばベゼルの回転軸方向に貫通してケース本体に螺合されるビス等を用いてもよい。
【００１３】
本発明の時計装置において、前記固定構造は、前記ケース本体の前記表示部の周囲に形成された筒状部と、前記筒状部の外周に形成された雄ねじ部と、前記保持リングの内側に形成されて前記雄ねじ部に螺合する雌ねじ部とを有する構造とすることが望ましい。
このような本発明では、雄ねじ部と雌ねじ部とを螺合させることで保持リングを筒状部に装着することができる。この際、保持リングを筒状部に対して回転させることで、筒状部に対する保持リングの位置、つまり前述した固定構造におけるベゼルの回転軸方向の位置を調整することができる。
【００１４】
本発明の時計装置において、前記カバー部材は、外周が前記ベゼル本体に接しかつ内周が前記表示部に臨む表示面と、前記ベゼル本体に対して着脱可能に係合する係合構造とを有することが望ましい。
このような本発明では、表示面によりベゼル本体と表示部との間が覆われるため、前述した保持構造を確実に隠蔽することができる。この際、表示面には外観性を高める適宜な仕上げを適用することができる。
係合構造としては、周方向のリブ等による嵌め込み構造を利用してもよい。この場合、カバー部材とベゼル本体とが弾性変形することになるが、各々の間は着脱力を小さなものとすることが可能であり、変形の影響も小さくすることができる。
【発明を実施するための最良の形態】
【００１５】
以下、本発明の具体的な実施形態を図面に基づいて説明する。
図１は、本発明に係る時計装置である腕時計１を示す平面図である。図２は、腕時計１の内部構造を示す断面図である。図３は、腕時計１のベゼル部分の拡大断面図である。図４は腕時計１のベゼル部分を構成する部品の組み立て状態を示す図である。
【００１６】
図１および図２に示すように、腕時計１は扁平な円筒状のケース本体２を備えている。
ケース本体２の表面側には、表示部である文字板３が設置され、この文字板３を覆うようにカバーガラス４が設置されている。文字板３には秒針、分針、時針を備えた時刻針５が設置され、カバーガラス４を透して表面側から時刻表示を視認できるようになっている。
時刻針５による時刻表示を行うために、ケース本体２の内部にはムーブメント６が設置されている。ムーブメント６は、時刻針５を駆動するためのステップモータおよび歯車列を備えるとともに、これらを制御する制御回路基板を備えている。
【００１７】
ケース本体２の側面には、ムーブメント６および時刻針５の調整や設定を行うためのリュウズ６Aが配置される。リュウズ６Aに隣接してボタン類が設置されてもよい。
ケース本体２の裏面側には、裏蓋７が設置され、ムーブメント６、文字板３および時刻針５はこの裏蓋７を外した状態でケース本体２内に実装される。
ケース本体２および裏蓋７は、ともに質感の優れた金属材料で形成される。
ケース本体２には、カバーガラス４の周囲に回転ベゼル１０が設置されている。
【００１８】
図３および図４に示すように、回転ベゼル１０は、それぞれ同心の環状に形成されたベゼル本体１１、保持リング１２、カバー部材１３を備えて構成される。
ベゼル本体１１は、ケース本体２と同じ金属材料で形成された環状の部材であり、外周には周方向に配列された凹凸を有する操作部１１Aが形成されている。ベゼル本体１１の内周には、表面側（図中上側）に対して裏面側（図中下側）が内向き（表示部寄り）に迫り出しており、裏面側の部分によりにケース本体２に保持するための保持部１１Bが形成され、表面側の部分によりカバー部材１３と係合するための係合段部１１Dが形成されている。保持部１１Bの内周面には凹部が形成され、この凹部には弾性変形可能な部材で形成されたパッキン１１Ｃが装着されている。
【００１９】
保持リング１２は、ベゼル本体１１の保持部１１Bの内側に挿入可能な筒状の部材である。保持リング１２の外周径は、保持部１１Bの内周径より僅かに小さくかつパッキン１１Ｃの内周径より大きく形成されている。従って、保持リング１２を保持部１１Bの内側に配置した際には、保持リング１２の外周にベゼル本体１１のパッキン１１Ｃが全周にわたって密着される。
保持リング１２の外周には、表面側の端縁に沿ってフランジ１２Ａが形成されている。フランジ１２Ａの外周径はベゼル本体１１の保持部１１Bの内周径より大きく形成され、保持部１１Bの表面側面に当接してベゼル本体１１の軸心方向（回転ベゼル１０の回転軸方向であり時刻針５の回転軸方向でもある）への移動を規制できる。フランジ１２Ａは全周にわたって連続しているものに限らず、一部に切欠きを有するもの、部分的に突起状に形成されたもの等であってもよい。
【００２０】
保持リング１２の内周には、保持リング１２をケース本体２に固定するための雌ねじ部１２Ｂが形成されている。
ケース本体２には筒状部２Ａが形成され、この筒状部２Ａの外周には雄ねじ部２Ｂが形成されている。なお、筒状部２Ａは、その内周の表面側端に段差２Ｃを有し、この段差２Ｃでカバーガラス４を支持するようになっている。段差２Ｃ内にはシール部材２Ｄが配置され、このシール部材２Ｄによりケース本体２とカバーガラス４との密封および固定が行われている。
保持リング１２は、筒状部２Ａの上方に配置したうえ、内周の雌ねじ部１２Ｂを雄ねじ部２Ｂに螺合させることができ、適宜回転させることで筒状部２Ａの外周の任意の高さに保持することができる。
これらの筒状部２Ａ、雄ねじ部２Ｂ、雌ねじ部１２Ｂにより、保持リング１２をケース本体２に固定する固定構造が構成されている。
【００２１】
保持リング１２を固定する際、筒状部２Ａの外周に予めベゼル本体１１を配置しておけば、保持リング１２のねじ込みに従ってフランジ１２Ａが下降し、ケース本体２との間にベゼル本体１１の保持部１１Ｂを挟み込むことができる。
これらの保持リング１２、フランジ１２Ａ、および前述した固定構造により、ベゼル本体１１をケース本体２と間に保持する保持構造が構成されている。
なお、ベゼル本体１１はフランジ１２Ａとケース本体２との間に保持されており、周方向に回転自在である。ここで、保持リング１２を更にねじ込むことにより、フランジ１２Ａで保持部１１Ｂを強く挟み込むことができ、これによりベゼル本体１１の回転トルクを調整することが可能である。
【００２２】
カバー部材１３は、外部に露出する表示面１３Aを有する。表示面１３Aの外周縁１３Bは、カバー部材１３をベゼル本体１１に装着した際にベゼル本体１１に当接可能である。表示面１３Aの内周縁１３Ｃは、カバーガラス４の外周近傍まで延長されている。従って、前述した保持リング１２、固定構造および保持構造は全てカバー部材１３の表示面１３Aによって被覆され、外部に対して隠蔽することができる。
カバー部材１３の下面には、ベゼル本体１１の係合段部１１Dに係合可能な係合突起１３Dが形成されている。係合突起１３Dは周方向に連続したリブであり、その外周側には弾性変形可能な部材で形成されたパッキン１３Ｅが装着されている。
【００２３】
カバー部材１３は、係合突起１３Dを係合段部１１Dの内側に嵌め込んで互いに係合させることで、ベゼル本体１１に支持される。
これらの係合突起１３D、パッキン１３Ｅ、係合段部１１Dにより、カバー部材１３をベゼル本体１１に対して着脱可能に係合させる係合構造が構成されている。
そして、カバー部材１３とベゼル本体１１とを係合させて一体化させることにより、ケース本体２に対して回転自在な回転ベゼル１０が構成される。
【００２４】
回転ベゼル１０において、ベゼル本体１１の操作部１１Ａを持って回転させることで、カバー部材１３までが一体に回転させることができる。
なお、ケース本体２には、ベゼル本体１１と対向する表面に周方向の溝が形成され、その底面には弾性材料を用いたクリック部材２Ｅが装着されている。ベゼル本体１１には、複数のクリック溝１１Ｅが周方向に配列されている。クリック部材２Ｅの先端はベゼル本体１１に当接され、クリック溝１１Ｅのある部分でクリック部材２Ｅがクリック溝１１Ｅ内に填り込んでその位置を維持する。ベゼル本体１１をケース本体２に対して回転させた際には、クリック部材２Ｅが弾性変形してクリック溝１１Ｅから離脱し、次のクリック溝１１Ｅまで摺動する。これらにより、ベゼル本体１１には操作時のクリック感が得られるとともに、クリック溝１１Ｅがある位置で保持することが可能である。
【００２５】
本実施形態においては、次の手順で回転ベゼルの組み立てを行うことができる。
先ず、ケース本体２に対し、上方からベゼル本体１１を近接させ、筒状部２Ａの外側に配置する。次に、ベゼル本体１１の上方から保持リング１２を近接させ、筒状部２Ａに螺合させ、更にねじ込んでゆく。これにより、保持リング１２は筒状部２Ａに沿って下降し、ベゼル本体１１の内側へと進入してゆく。
保持リング１２の更なる下降により、フランジ１２Ａとケース本体２との間に保持部１１Ｂが挟まれ、ベゼル本体１１がケース本体２に対して回転自在に保持される。ベゼル本体１１の保持ができたら、ベゼル本体１１の上からカバー部材１３を被せ、係合突起１３Dを係合段部１１Dの内側に嵌め込む。これにより、カバー部材１３がベゼル本体１１に支持され、一体化して回転ベゼル１０となる。
【００２６】
本実施形態においては、次の手順で回転ベゼルの分解を行うことができる。
先ず、カバー部材１３の一部を引き上げ、互いに嵌合を解除して係合突起１３Dを係合段部１１Dから抜き出し、ベゼル本体１１から剥がす。次に、保持リング１２を回転させて筒状部２Ａに沿って上昇させ、ベゼル本体１１の内側から脱出させるとともに、更に回転させて筒状部２Ａとの螺合を解除して取り外す。この状態で、ベゼル本体１１は保持を解除されるため、筒状部２Ａの外側から上方へ持ち上げれば取り外すことができる。
【００２７】
このような本実施形態によれば、以下の効果を得ることができる。
回転ベゼル１０はベゼル本体１１とカバー部材１３との二部材により構成される。ベゼル本体１１とカバー部材１３とは別部材であるため、各々の材質ないし表面仕上げを異なるものとすることで、回転ベゼル１０の仕上げ分けを容易に実現することができる。
ベゼル本体１１とカバー部材１３とは嵌め合わせであるが、ベゼル本体１１をケース本体２に保持するために嵌め合わせを用いないため、回転ベゼル１０まわりの弾性変形を最小限に抑制することができる。
【００２８】
ケース本体２に対するベゼル本体１１の保持は、保持リング１２、その外周のフランジ１２Ａ、固定構造からなる保持構造により、ベゼル本体１１の保持部１１Ｂを挟み込むことで行われ、嵌め込み伴うケース本体２またはベゼル本体１１の弾性変形を解消することができる。
保持構造に用いる固定構造は、筒状部２Ａ、保持リングの内周の雄ねじ部２Ｂ、雌ねじ部１２Ｂを用いて螺合させる構造であるため、嵌め込み伴うケース本体２またはベゼル本体１１の弾性変形を解消することができる。
このように、本実施形態では、ベゼル本体１１の取り付けに従来のような弾性変形を伴う嵌め合い構造を用いないため、ベゼル本体１１およびケース本体２における弾性変形の影響を回避することができる。
【００２９】
保持構造として、ベゼル本体１１をフランジ１２Ａとケース本体２との間に挟み込む構造としたため、フランジ１２Ａの高さを変更することで、回転ベゼル１０としての回転トルクの調整を行うことができる。
固定構造として、筒状部２Ａとその外周の螺合構造（雄ねじ部２Ｂと雌ねじ部１２Ｂ）を用いたため、保持リング１２の回転により筒状部２Ａに対する位置を細かく調整することができ、ベゼル本体１１をフランジ１２Ａとケース本体２との間に挟む状態を微妙に調整することができ、これにより前述した回転ベゼル１０の回転トルクの調整を精密に行うことができる。
【００３０】
筒状部２Ａは、その内周にカバーガラス４を保持する構造を兼ねることができ、構造の簡略化に有効である。
筒状部２Ａとカバーガラス４との間にシール部材２Ｄを配置したため、装着の際にシール部材２Ｄの弾性を利用して操作を容易にできるとともに、当該部分に防水あるいは防塵などのシール性を確保することができる。
【００３１】
保持リング１２とベゼル本体１１との間にはパッキン１１Ｃを配置したため、保持リング１２の外周面とベゼル本体１１の内周面との間の隙間があってもがたつきを生じることがない。また、パッキン１１Ｃが押しつけられることで、保持リング１２とベゼル本体１１との間に適度な回転抵抗を与えることができる。
更に、ベゼル本体１１とケース本体２との間には突起１１Ｅおよびクリック部材２Ｅを設けたため、ベゼル本体１１をケース本体２に対して回転させた際に適度なクリック感が得られるとともに、凹形状に対応した位置で保持することができる。
【００３２】
カバー部材１３は、ベゼル本体１１（操作部１１Ａの手前）からカバーガラス４の外周近傍までを覆う表示面１３Ａを有するため、前述した保持リング１２、固定構造および保持構造は全て隠蔽することができる。ここで、カバー部材１３の外観は表示面１３Ａに適宜な仕上げを施し、あるいはマーカを形成することで任意に形成でき、前述したベゼル本体１１との仕上げ分けと併せて外観性の向上を図ることができる。
回転ベゼル１０に必要な表示は全てカバー部材１３に形成しておけばよい。この表示を変更したい場合には、カバー部材１３のみを変更すればよく、ベゼル本体１１を共用化することができる。
【００３３】
カバー部材１３のベゼル本体１１への装着は、係合段部１１Dに係合する係合突起１３Dを用いた係合構造であり、弾性変形を伴うものであるが、各々の間の着脱力は従来のケース本体２への嵌め込みに比べて十分小さなものとすることができ、変形の影響も小さくすることができる。
本実施形態においては、係合突起１３Dと係合段部１１Dとの間にパッキン１３Ｅを介在させることにより、金属材料どうしの嵌め合わせに比べて小さな力で嵌め込みを行うことができる。
更に、嵌め込みに伴う弾性変形はほとんどパッキン１３Ｅで担保することができるため、カバー部材１３およびベゼル本体１１における変形を回避することができる。
【００３４】
本発明は前述した実施形態に限定されるものではなく、以下のような変形をも含むものである。
本発明の時計装置は、前述した実施形態のような腕時計１に限らず、据え置き型の時計装置、壁掛け型の時計装置あるいは他の機器や調度に組み込まれる時計装置にも適用することができる。例えば、いわゆるワールドタイム機能を備えた時計では、世界のタイムゾーンの代表都市名をベゼル等文字板の周囲に表示することがあり、この表示に本発明の回転ベゼルを適用してもよい。
【００３５】
固定構造としては、前述した筒状部２Ａの雄ねじ部２Ｂと保持リング１２の雌ねじ部１２Ｂの組み合わせに限らない。固定構造は、保持リング１２をケース本体２に固定できる構造であればよい。
このような構造としては、例えば、回転ベゼル１０の回転軸方向（時刻針５の回転軸方向）のビスを複数用い、それぞれ保持リング１２を貫通したうえ、先端をケース本体２に螺合させることでケース本体２への固定が可能である。このような構造でも、各ビスのねじ込み高さを調整することで、回転ベゼル１０としての回転トルクの調整も可能である。
あるいは、フランジ１２Ａを有する保持リング１２を用いずに、フランジ１２Ａに相当するリング部材を単独で用い、前述した回転ベゼル１０の回転軸方向の複数のビスで貫通したうえ、先端を筒状部２Ａの頂上部分に螺合させてもよい。
【００３６】
保持構造としては、保持リング１２を用いてベゼル本体１１の保持部１１Ｂを回転ベゼル１０の回転軸方向に挟んで保持する構造に限らず、ベゼル本体１１を前記回転軸まわりに回転自在としつつ前記回転軸方向の移動規制を行える構造であれば、これを保持構造とすることができる。
このような構造としては、例えば、筒状部２Ａの内側からピンを貫通させ、ベゼル本体１１の内周面の溝（前記実施形態ではパッキン１１Ｃが装着されていた）内に突出させる構造が採用できる。あるいは、保持リング１２に代えて、前記回転軸方向のビスをベゼル本体１１の内側に沿って複数配列し、各々をケース本体２に螺合させ、各ビスの頭部を保持部１１Ｂに係合させてフランジ１２Ａの代わりとしてもよい。各ビスのケース本体２に対するねじ込み高さを調整することで、各頭部の保持部１１Ｂに対する接触状態を調整することができ、回転ベゼル１０としての回転トルクの調整も可能である。
【００３７】
カバー部材１３をベゼル本体１１に係合させるための係合構造としては、前記実施形態のような係合突起１３Ｄおよび係合段部１１Ｄに限らず、なるべく小さな力で確実な固定ができる構成を適宜選択することが望ましい。
例えば、カバー部材１３の裏面の複数のテーパーピンを形成しておき、対向するベゼル本体１１には各ピンよりやや小径の孔を形成しておき、これらを互いに嵌め合わせるようにした構造などが適宜採用できる。
前記実施形態において、各部に設けた突起１１Ｅおよびクリック部材２Ｅ、シール部材２Ｄ、パッキン１１Ｃ，１３Ｅは、それぞれ既存の技術により形成すればよく、その配置や数等は適宜変更することができる。機能上必要でない場合には、これらは適宜省略してもよい。
【産業上の利用可能性】
【００３８】
本発明は、回転ベゼルを有する時計装置として利用でき、ダイバーズウォッチやスポーツウォッチ等の腕時計として好適に利用できる。
【図面の簡単な説明】
【００３９】
【図１】本発明に係る時計装置である腕時計１を示す平面図である。
【図２】前記実施形態の腕時計１の内部構造を示す断面図である。
【図３】前記実施形態の腕時計１のベゼル部分の拡大断面図である。
【図４】前記実施形態の腕時計１のベゼル部分を構成する部品の組み立て状態を示す図である。
【符号の説明】
【００４０】
１…時計装置である腕時計、２…ケース本体、２Ａ…筒状部、２Ｂ…雄ねじ部、３…表示面である文字板、４…カバーガラス、１０…回転ベゼル、１１…ベゼル本体、１２…保持リング、１２Ａ…フランジ、１２Ｂ…雌ねじ部、１３…カバー部材、１３Ａ…表示面、１３Ｄ，１１Ｄ…係合構造である係合突起および係合段部
【図１】
2009186279.tif 000003
【図２】
2009186279.tif 000004
【図３】
2009186279.tif 000005
【図４】
2009186279.tif 000006